(57)【特許請求の範囲】
【請求項１】
被写体を撮影して写真画像を生成する撮影手段と、
前記写真画像を表示する編集領域を有する表示手段と、
第１の点の指定を受けた後に第２の点の指定を受け付け、前記第１及び第２の点を含み前記編集領域の枠と交差する線を境界線とする受付手段と、
前記第１の点から前記第２の点へ向かう方向に基づいて、前記編集領域内の前記写真画像において、前記境界線で分割された複数の領域に配置される複数の背景画像のうち、各領域に配置される背景画像を決定する画像決定手段と、
前記各領域に前記決定された背景画像を配置する編集手段と、
前記背景画像が配置された前記写真画像を印刷する印刷手段とを備えることを特徴とする画像撮影編集装置。
【請求項２】
被写体を撮影して写真画像を生成するステップと、
表示画面の編集領域に、前記写真画像を表示するステップと、
第１の点の指定を受けた後に第２の点の指定を受け付け、前記第１及び第２の点を含み前記編集領域の枠と交差する線を境界線とするステップと、
前記第１の点から前記第２の点へ向かう方向に基づいて、前記編集領域内の前記写真画像において、前記境界線で分割された複数の領域に配置される複数の背景画像のうち、各領域に配置される背景画像を決定するステップと、
前記各領域に前記決定された背景画像を配置するステップと、
前記背景画像が配置された前記写真画像を印刷するステップとを備えることを特徴とする画像撮影編集方法。
【請求項３】
被写体を撮影して写真画像を生成する画像撮影編集装置内のコンピュータに実行させるための画像編集プログラムであって、
表示画面の編集領域に、前記写真画像を表示するステップと、
第１の点の指定を受けた後に第２の点の指定を受け付け、前記第１及び第２の点を含み前記編集領域の枠と交差する線を境界線とするステップと、
前記第１の点から前記第２の点へ向かう方向に基づいて、前記編集領域内の前記写真画像において、前記境界線で分割された複数の領域に配置される複数の背景画像のうち、各領域に配置される背景画像を決定するステップと、
前記各領域に前記決定された背景画像を配置するステップと、
前記背景画像が配置された前記写真画像を印刷するステップとを前記コンピュータに実行させることを特徴とする画像編集プログラム。
【発明の詳細な説明】
【技術分野】
【０００１】
本発明は、画像撮影編集装置、画像撮影編集方法及び画像編集プログラムに関し、さらに詳しくは、利用者を撮影して得られた写真画像に利用者が落書き等の編集をした写真シールを自動的に作成する画像撮影編集装置、画像撮影編集方法及び画像編集プログラムに関する。
【背景技術】
【０００２】
ゲームセンタなどの遊戯施設には、利用者を被写体としてカメラで撮影し、その写真画像をシール紙に印刷して販売する画像撮影編集装置が設置されている。これらの画像撮影編集装置は、利用者を撮影して写真画像を生成する撮影装置と、生成された写真画像をタブレットディスプレイなどに表示し、表示された写真画像に付属のタッチペンで文字や図形を落書きすることにより、写真画像を編集する画像編集装置とを備えたものが一般的になっている。画像編集装置で入力された落書きは写真画像と合成され、その合成画像がプリンタでシール紙に印刷され、利用者に提供される。
【０００３】
画像撮影編集装置には、カメラで撮影されている被写体の映像をライブ映像としてリアルタイムで表示するモニタ表示装置が設けられ、利用者がライブ映像で自身のポーズ等を確認しながら写真撮影できるようになっている。さらに、特開２００５−１９２０４８号公報（特許文献１）や特開２００４−６４４５４号公報（特許文献２）に開示されるように、利用者の希望に応じて、写真画像の背景となる背景画像や前景となるフレーム画像等がライブ映像上に重ねて表示され、利用者が背景画像等のレイアウトや柄の位置を意識しながら写真撮影できるものもある。
【０００４】
最近では、特開２００４−２６０６５０号公報（特許文献３）及び特開２００６−２９３４２１号公報（特許文献４）に開示されるように、複数回の撮影により得られた複数の写真画像を上下又は左右に連結し、連結された写真画像に対して１つの背景画像又はフレーム画像を採用するものや、特開２００７−１２４２６１号公報（特許文献５）に開示されるように、撮影により得られた写真画像を背景又はフレームとしてライブ映像上に重ねて表示し、写真撮影できるものもある。
【０００５】
これらの技術では、利用者は、撮影段階で、ライブ映像上に重ねて表示された背景やフレームを意識しながら、背景やフレーム等のレイアウトに合ったポーズで撮影することができる。
【０００６】
しかしながら、撮影段階で背景やフレームといった写真に合成される編集画像をライブ映像上に重ねて表示する場合、編集画像を意識するあまり、かえって自由なポーズをにとりにくい場合もある。たとえば、好みのポーズが、ライブ映像上の編集画像内の好みの柄を隠すことになる場合、ポーズを変更せざるを得ない場合もある。
【０００７】
また、これらの技術では、予め決められたデザインの編集画像をライブ映像上に重ねて表示するため、オリジナリティの高い写真シールを作成しにくい。たとえば、同じ背景画像が選択されて得られた写真画像では、背景の柄及びその位置は全て同じである。
特許文献５に開示された画像撮影編集装置は、先に生成された写真画像を背景又はフレームとしてライブ映像上に重ねて表示するため、オリジナルの背景又はフレームを作成しているといえる。しかしながら、特許文献５では、オリジナリティの高い１つの画像を得るために、複数回の撮影をしなければならない。一般的に、画像撮影編集装置は利用効率を高めるために、利用者がプレイする時間を制限しているため、撮影回数にも限りがある。１つの画像を得るために複数の撮影が必要となれば、写真シール用に作成可能な画像の数は必然的に少なくなる。
【０００８】
ところで、背景やフレームといった編集画像を、上述のような撮影段階で決定する方法の他に、撮影の後に行われる画像編集段階で決定する方法もある。たとえば、特許第３３１２１６５号公報（特許文献６）には、編集段階で、被写体を落書き不可能な範囲に設定し、被写体以外の範囲に背景やフレームを入力する技術が開示されている。この技術を用いれば、タッチペンで被写体以外の部分を塗りつぶして、オリジナルの背景を作成することができる。しかしながらこの方法では、編集に時間が掛かり過ぎる。
【０００９】
画像編集段階においても、予め決められたデザインの背景やフレームを選択すれば、短時間で容易に写真画像を編集できる。しかしながら、撮影段階での問題と同様に、予め決められたデザインの背景やフレームが描画された画像は、どれも同じようなレイアウトになり、オリジナリティに欠ける。
【特許文献１】特開２００５−１９２０４８号公報
【特許文献２】特開２００４−６４４５４号公報
【特許文献３】特開２００４−２６０６５０号公報
【特許文献４】特開２００６−２９３４２１号公報
【特許文献５】特開２００７−１２４２６１号公報
【特許文献６】特許第３３１２１６５号公報
【発明の開示】
【発明が解決しようとする課題】
【００１０】
本発明の目的は、画像編集段階でオリジナリティの高い画像を短時間で容易に作成できる画像撮影編集装置を提供することである。
【課題を解決するための手段及び発明の効果】
【００１１】
本発明による画像撮影編集装置は、撮影手段と、表示手段と、受付手段と、編集手段と、印刷手段とを備える。撮影手段は、被写体を撮影して写真画像を生成する。表示手段は、写真画像を表示する編集領域を有する。受付手段は、編集領域の枠と交差する境界線の指定を受け付ける。編集手段は、境界線で分割された編集領域内の各領域で異なる編集を行う。印刷手段は、編集手段により編集された写真画像を印刷する。
【００１２】
本発明による画像撮影編集装置では、利用者は、境界線を自由に指定でき、かつ、境界線を指定するだけで、分割された領域ごとに異なる編集を行うことができる。そのため、オリジナリティの高い画像を短時間で容易に作成できる。
【００１３】
好ましくは、編集手段は、各領域に異なる画像を描画する。
【００１４】
好ましくは、受付手段は、点受付手段と、境界線決定手段とを備える。点受付手段は、第１及び第２の点の指定を受け付ける。境界線決定手段は、第１及び第２の点を含む直線を境界線とする。
【００１５】
この場合、第１及び第２の点を指定するだけで、境界線を容易に指定できる。
【００１６】
好ましくは、点受付手段は、第１の点を受け付けた後、第２の点を受け付ける。画像撮影編集装置はさらに、画像決定手段を備える。画像決定手段は、第１の点から第２の点へ向かう方向に基づいて、各領域に描画する画像を決定する。編集手段は、決定された画像を描画する。
【００１７】
この場合、第１及び第２の点の配置に応じて、各領域に描画される画像を決定できる。そのため、利用者は、第１及び第２の点の配置を考慮すれば、所望の領域に所望の画像を描画できる。
【００１８】
本発明による画像撮影編集方法は、上述の画像撮影編集装置の動作方法である。また、本発明による画像編集プログラムは、上述の画像撮影編集装置内のコンピュータに実行させるプログラムである。
【発明を実施するための最良の形態】
【００１９】
以下、図面を参照し、本発明の実施の形態を詳しく説明する。図中同一又は相当部分には同一符号を付してその説明は繰り返さない。
【００２０】
１．第１の実施の形態
１−１．外観構成
図１及び図２を参照して、本発明の実施の形態による画像撮影編集装置１は、撮影を行う撮影空間２と、撮影により得られた写真画像の編集を行う編集空間３とに分かれている。撮影空間２には、被写体を撮影して写真画像を生成する撮影装置２０が設けられる。編集空間３には、生成された写真画像を編集する画像編集装置３０が設けられる。撮影空間２及び編集空間３は図示しないサイドカーテンなどにより外部と区分されている。
【００２１】
［撮影装置の構成］
撮影装置２０は、被写体を撮影して写真画像を生成する。撮影装置２０の側面には、プレイに対する対価であるコインを受け付けるコイン受付部２５が設けられる。コイン受付部２５には、コインを投入するためのコイン投入口２６と、受付表示パネル２７とが設けられる。受付表示パネル２７は、画像撮影編集装置１の利用案内を表示したり、撮影空間２の利用状況を表示したりする。
【００２２】
画像撮影編集装置１を利用する場合、まず利用者は、コイン投入口２６にコインを投入する。コインを受け付けると、画像撮影編集装置１は受付表示パネル２７に、利用者に撮影空間２への移動を促す案内を表示する。利用者はその案内に従って、装置側面から撮影空間２に入り、撮影装置２０に向かって撮影操作を行う。撮影終了後、利用者は編集空間３に移動し、今度は画像編集装置３０に向かって画像編集操作を行う。具体的には、画像編集の対象となる写真画像に、背景画像、フレーム画像、スタンプ画像、ペン画像等の編集画像を入力したり、写真画像自体の色調や明度、彩度を調整したり、フィルタを用いて写真画像に対してぼかしやシャープを施したりして、写真画像を編集する。
【００２３】
図１を参照して、撮影装置２０の正面中央にはカメラ２１が設けられ、その下方にはタッチパネルディスプレイ２２が設けられ、さらにそれらの周りには照明装置２３が設けられる。
【００２４】
カメラ２１は利用者を被写体として撮影するもので、一般にデジタルカメラが用いられる。カメラ２１は複数台設けたり、移動や角度調節をできるようにしたりしてもよい。
【００２５】
タッチパネルディスプレイ２２は、自身が被写体となる利用者の確認用のモニタで、表示画面が見やすいようにプレイヤに向けられている。タッチパネルディスプレイ２２は、カメラ２１で撮影されている映像を左右反転してライブ映像（動画）としてリアルタイムで表示する。したがって、プレイヤは鏡のように写る自分の姿を見ながら撮影を行うことができる。さらに、その表示画面上には透明なタッチパネル２２１（図３参照）が貼り付けられており、タッチパネルディスプレイ２２は、タッチパネル２２１に対するプレイヤの入力動作を受け付ける。
【００２６】
照明装置２３は、カメラ２１の周囲及び天井に設けられ、被写体を照明する。照明装置２３はその内部に、常灯照明である蛍光灯２３２（図３参照）と、閃光照明（フラッシュ）であるストロボ２３１（図３参照）とを有する。ストロボ２３１は、利用者から撮影の開始が指示され、カメラ２１が撮影している映像を静止画として取り込む瞬間に発光し、被写体を強く照明する。
【００２７】
［画像編集装置の構成］
画像編集装置３０は、撮影により生成された写真画像を編集する。図２を参照して、画像編集装置３０は、撮影装置２０の背後に設けられる。画像編集装置３０は、撮影装置２０で生成された写真画像に合成される、背景画像やフレーム画像、スタンプ画像、ペン画像等の編集画像の入力を受け付ける。そして、写真画像及び編集画像を合成した合成画像を生成する。画像編集装置３０には、２つの画像編集部３１が背中合わせに設けられており、異なる利用者が各画像編集部３１で写真画像を編集できる。
【００２８】
各画像編集部３１の正面中央には、タブレットディスプレイ３２が設けられる。タブレットディスプレイ３２は、編集操作モニタ３２２（図３参照）とタッチパネル３２１（図３参照）とを備える。編集操作モニタ３２２は、生成された複数の写真画像の中から編集対象として選択された１又は複数の写真画像を表示する。タッチパネル３２１は、編集操作モニタ３２２上に貼り付けられている。タブレットディスプレイ３２の両側には、文字や図形といった編集画像をタッチパネル上で入力するためのタッチペン３３が設けられる。そして、利用者がタッチペン３３によりタッチパネル３２１を操作することにより、タブレットディスプレイ３２に表示された写真画像に対する編集操作が受け付けられる。編集終了後、画像編集装置３０は、編集画像と写真画像とを合成して合成画像を生成する。
【００２９】
画像編集装置３０の側面には、印刷部６０が設けられ、その内部にプリンタ６（図３参照）が収納される。印刷部６０の正面上部には、表示パネル６１が設けられる。表示パネル６１は、印刷中に発光する印刷中ＬＥＤ６１１（図３参照）や、印刷エラー発生時に発光する印刷エラーＬＥＤ６１２（図３参照）等を備え、印刷状況やエラー等を表示する。印刷部６０内のプリンタは、編集作業により生成された合成画像をシール紙に印刷する。印刷されたシール紙はシール取出口６２に排出される。
【００３０】
１−２．機能構成
図３を参照して、画像撮影編集装置１は、撮影処理を実行する撮影用コンピュータ装置１０１ａと、画像編集処理を実行する画像編集用コンピュータ装置１０１ｂと、動作中のコンピュータ装置１０１ａ，１０１ｂからの指示を受け付けて、接続されている各種装置を制御する制御基板１０２とを備える。撮影用コンピュータ装置１０１ａと画像編集用コンピュータ装置１０１ｂとは互いに接続され、画像データなどの授受をピアツーピアで行う。
【００３１】
コンピュータ装置１０１ａ，１０１ｂは、ＣＰＵ(Central Processing Unit)１０３ａ，１０３ｂと、本装置に所定の処理を実行させるためのプログラム、処理に必要なグラフィックデータ、音声データ、撮影された写真画像や編集画像を記憶するハードディスクドライブ（ＨＤＤ）１０４ａ，１０４ｂ、プログラムの一時的な作業領域となるメモリ１０５ａ，１０５ｂとを含む。
【００３２】
撮影用コンピュータ装置１０１ａは、撮影空間２での撮影処理を実行する。具体的には、撮影処理のプログラムの実行や、利用者の指等のタッチによりタッチパネルディスプレイ２２内のタッチパネル２２１で受け付けた入力操作にしたがった指示信号に基づいて、制御基板１０２に対して制御信号を送信する。また、撮影用コンピュータ装置１０１ａは、カメラ２１、タッチパネルディスプレイ２２内の撮影操作モニタ２２２、及び制御基板１０２と接続され、それらを制御する。
【００３３】
画像編集用コンピュータ装置１０１ｂは、ＨＤＤ１０４ｂに記憶された画像編集プログラムに基づいて、編集空間３での画像編集処理及び印刷処理を実行する。具体的には、画像編集用コンピュータ装置１０１ｂは、画像編集や印刷のプログラムを実行し、タブレットディスプレイ３２内のタッチパネル３２１に対するタッチペン３３による入力操作に応じて制御信号を制御基板１０２に送信する。画像編集用コンピュータ装置１０１ｂは、プリンタ６、タブレットディスプレイ３２内の編集操作モニタ３２２、及び制御基板１０２と接続され、それらを制御する。
【００３４】
画像編集用コンピュータ装置１０１ｂ内のＨＤＤ１０４ｂは、画像編集プログラムや、後述する画像編集処理に利用する複数の編集画像（背景画像、フレーム画像、ペン画像、スタンプ画像等）を記憶する。
【００３５】
プリンタ６は、上述のとおり、写真画像に編集画像を合成した合成画像をシール紙等の印刷媒体に印刷する。この実施の形態のプリンタ６は画像をシール紙に印刷するが、印刷媒体はシール紙に限定されることなく、他の印刷媒体でもよい。
【００３６】
タッチパネルディスプレイ２２内のタッチパネル２２１は、撮影操作モニタ２２２の上に積層されている。タッチパネル２２１は、利用者の指等の接触を検知し、それに応じた指示信号を撮影用コンピュータ装置１０１ａに送信する。撮影操作モニタ２２２は、撮影用コンピュータ装置１０１ａから送信された画像、具体的には、カメラ２１で撮像された写真画像、撮影のための案内、選択肢など表示する。
【００３７】
タブレットディスプレイ３２内のタッチパネル３２１は、編集操作モニタ３２２の上に積層されている。タッチパネル３２１は、左右のタッチペン３３の接触を検知し、それに応じた指示信号を画像編集用コンピュータ装置１０１ｂに送信する。タブレットディスプレイ３２内の編集操作モニタ３２２は、画像編集用コンピュータ装置１０１ｂから送信された画像、具体的には、画像編集処理の最中に入力された背景画像やフレーム画像等の編集画像を写真画像と重ねて表示する。
【００３８】
制御基板１０２は、コンピュータ装置１０１ａ，１０１ｂの他に、ストロボ制御部１１０、照明装置２３内のストロボ２３１及び蛍光灯２３２、サービスパネル１１３、表示パネル６１内の印刷中ＬＥＤ６１１、印刷エラーＬＥＤ６１２、コイン制御部１１２、及び音声制御部１１１に接続される。
【００３９】
ストロボ制御部１１０はカメラ２１に接続され、カメラ２１のシャッタタイミングに応じて発光するように照明装置２３内のストロボ２３１を制御する。音声制御部１１１は制御基板１０２を介して撮影用コンピュータ装置１０１ａ及び画像編集用コンピュータ装置１０１ｂに接続される。撮影用スピーカ２４は、撮影空間２に配備され、撮影用コンピュータ装置１０１aから制御基板１０２を介して与えられる指示信号に基づいて、撮影プレイのための操作方法などの案内やＢＧＭなどを出力する。画像編集用スピーカ３４は、編集空間３に配備され、画像編集用コンピュータ装置１０１ｂから制御基板１０２を介して与えられる指示信号に基づいて、編集プレイのための操作方法などの案内やＢＧＭなどを出力する。
【００４０】
１−３．動作
上述した画像撮影編集装置１の動作は次のとおりである。
【００４１】
１−３−１．撮影空間での動作（撮影処理）
まず、撮影空間２での画像撮影編集装置１の動作を説明する。
図４を参照して、ＣＰＵ１０３ａは、画像撮影編集装置１の利用を促すタイトルデモ画面をタッチパネルディスプレイ２２に表示し（Ｓ１１）、その間にコイン制御部１１２においてコインの投入を監視する（Ｓ１２）。タイトルデモ画面の表示中に所定枚数のコインが投入されると（Ｓ１２でＹＥＳ）、ＣＰＵ１０３ａは所定の撮影を実行する（Ｓ１３）。
【００４２】
利用者は、タッチパネルディスプレイ２２に表示される案内に従って複数回の撮影を行う。ＣＰＵ１０３ａは、撮影回数が所定回数に達したか否かを判定する（Ｓ１４）。所定回数撮影していない場合（Ｓ１４でＮＯ）、ＣＰＵ１０３ａはステップＳ１３に戻って撮影を繰り返す。一方、所定回数撮影した場合（Ｓ１４でＹＥＳ）、ＣＰＵ１０３ａは、撮影で得られた複数の写真画像のデータを画像編集用コンピュータ装置１０１ｂに転送する（Ｓ１５）。ＣＰＵ１０３ａは編集空間３で画像編集するよう促す案内をタッチパネルディスプレイ２２に表示した後、ステップＳ１１に戻って再びタイトルデモ画面を表示する。
【００４３】
ここでは所定の撮影回数に達したときに撮影を終了させているが、所定の撮影時間を設定し、撮影を開始してからの経過時間が所定の撮影制限時間に達したときに撮影を終了させるようにしてもよい。また、所定回数撮影した後にまだ所定の撮影制限時間が余っている場合に、撮影を開始してからの経過時間が所定の撮影制限時間に達するまで撮影を繰り返し行えるようにしてもよい。さらに、、編集空間３で前の利用者が画像編集操作をしている場合は、前の利用者の画像編集操作が終了するまで撮影プレイを行えるようにしてもよい。
【００４４】
１−３−２．編集空間での動作（画像編集処理及び印刷処理）
次に、編集空間３での画像撮影編集装置１の動作を説明する。
図５を参照して、ＣＰＵ１０３ｂは、撮影プレイから始めるよう促す待機画面をタブレットディスプレイ３２に表示する（Ｓ２１）。図４に示した撮影処理が終了すると、撮影用コンピュータ装置１０１ａから画像編集用コンピュータ装置１０１ｂに写真画像のデータが転送されて来るので、画像編集用コンピュータ装置１０１ｂはこれを受信する（Ｓ２２）。続いて、ＣＰＵ１０３ｂは、画像編集処理を実行する（Ｓ２３）。画像編集処理では、タブレットディスプレイ３２内で編集対象となる写真画像が表示された編集領域内に境界線を利用者が自由に指定することで、編集領域内で境界線により分割された各領域で異なる画像編集を行う。以下、この処理をペア画処理と称する。ペア画処理では、利用者は、好みの形状に分割された各領域を短時間で容易に編集できる。そのため、写真画像をオリジナリティの高い画像に短時間で容易に編集できる。ペア画処理の詳細は後述する。なお、画像編集処理では、スタンプやフレーム等の従来の編集処理も受け付け、写真画像に編集画像を合成した合成画像を作成することもできる。
【００４５】
画像編集処理が終了すると、写真画像に画像編集処理により入力された編集画像を合成した合成画像が、タブレットディスプレイ３２に並べて表示される（Ｓ２４）。利用者は表示された合成画像から、印刷したい画像を選択する。ＣＰＵ１０３ｂは、利用者の選択に基づいて、印刷すべき画像を確定する（Ｓ２５）。印刷すべき画像を確定後、ＣＰＵ１０３ｂは、利用者の操作に応じて印刷レイアウトを選択し（Ｓ２６）、選択された印刷レイアウトを適用し、画像をプリンタ６で印刷する（Ｓ２７）。画像を印刷したシール紙は、シール取出口６２から利用者に提供される。印刷後、ＣＰＵ１０３ｂは、ステップＳ２１に戻って再び待機画面を表示する。
【００４６】
１−４．画像編集処理
画像編集処理の詳細を図６を参照して説明する。
【００４７】
初めに、ＣＰＵ１０３ｂは、画像編集装置３０のタブレットディスプレイ３２に、図７に示すような表示画面３２０を表示する（Ｓ２０１）。図７に示すように、表示画面３２０には、左右に２つの編集画面１００Ｌ及び１００Ｒが表示され、２人の利用者がそれぞれの編集画面１００（１００Ｌ及び１００Ｒ）で写真画像を編集できるようになっている。また、撮影装置２０から転送された複数の写真画像のうちのいくつか（図７では３枚）が一方の編集画面１００Ｌに割り当てられ、残りの写真画像が他方の編集画面１００Ｒに割り当てられ、画像選択領域２０１に表示される。一般に、編集時間には制限が設けられるが、各編集画面１００で異なる写真画像を編集することで、限られた編集時間内により多くの編集を行うことができる。
【００４８】
表示画面３２０の中央には、写真画像を編集できる残り時間を表示するタイマ２００が表示される。表示画面３２０の中央上部には、両編集画面１００での画像編集操作を終了するときに選択される「おしまい」ボタン２１４が表示される。
【００４９】
表示画面３２０の中央下部には、落書きツール選択領域２０３が表示される。落書きツール選択領域２０３には、各編集画面１００での画像編集処理に利用される落書きツールを選択するための複数の落書きツール選択ボタン２０４が表示される。図７には、落書きツール選択ボタン２０４として、ペン画像を入力するための「ペン」ボタン、フレーム画像等を入力するための「囲み＆フレーム」ボタン、歌詞や詩等の文字列を入力するための「コトバ」ボタン、スタンプ画像等を入力するための「スタンプ＆クルクル」ボタン、上記以外の種々の編集画像を入力するための「スペシャル」ボタンが表示される。落書きツール選択領域２０３に、上述の落書きツール以外の他の落書きツールの選択ボタンが表示されてもよい。
【００５０】
各編集画面１００は、編集対象となる写真画像が表示される編集領域２０２を有する。利用者が画像選択領域２０１に並んだ複数の写真画像の中から、編集したい写真画像をタッチペン３３でタッチすると、編集領域２０２の枠２５０内全体に、タッチされた写真画像が表示される。
【００５１】
利用者は、落書きツール選択領域２０３内の所望の落書きツール選択ボタン２０４を選択し、その選択された落書きツールを用いて、編集領域２０２に表示された写真画像を編集する。たとえば、編集画面１００Ｒの利用者のタッチペン３３の操作により、「ペン」ボタン２０４Ｂがタッチされたとき、ＣＰＵ１０３ｂは、タッチを検知してペンパレット２０５を表示する。ペンパレット２０５には各々に異なるペン画像が表示された複数の画像選択ボタン２０６が表示され、利用者がいずれかの画像選択ボタン２０６をタッチすると、タッチペン３３を用いて、選択された画像選択ボタンに表示されたペン画像を編集領域２０２に描画できる。ペンパレット２０５は複数準備され、各ペンパレット２０５にはタブ２０７が設けられる。利用者がいずれかのタブ２０７をタッチしたとき、そのタブ２０７に属するペンパレット２０５が表示され、利用者は表示されたペンパレット２０５の中から所望のペン画像を選択できる。なお、タッチペン３３で「ペン」ボタン２０４Ｂがタッチされたとき、ＣＰＵ１０３ｂは、編集画面１００Ｒの利用者が「ペン」ボタン２０４Ｂを選択したことが視覚的にわかるように、「ペン」ボタン２０４Ｂの表示を変更する。たとえば、図７に示すように、「ペン」ボタン２０４のボタン形状は右方向を示す矢印状に変更され、「ペン」ボタン２０４Ｂを囲むように複数の星画像２０８が表示される。
【００５２】
他の落書きツール選択ボタン（スペシャル、スタンプ＆クルクル、コトバ、囲み＆フレーム）２０４がタッチされた場合も上述の「ペン」ボタン２０４Ｂの場合と同様に、選択された落書きツールに属するパレット２０５が表示され、利用者はパレット２０５から所望の編集画像を選択できる。なお、各編集画面１００には、画像編集を最初からやり直すときにタッチされる「はじめから」ボタン２１５、１つ前の編集操作を取り消したり、復元したりするための「すすむ」「もどる」ボタン２１６、入力された編集画像の一部を消去するための消しゴムボタン２１７も表示される。
【００５３】
図７の編集画面１００Ｌに示すように、利用者が「スペシャル」ボタン２０４Ａを選択し、かつ、「ペア画」タブ２０７Ａを選択したとき、ＣＰＵ１０３ｂは、本発明の特徴であるペア画処理を実行する。
【００５４】
図６に戻って、表示画面３２０が表示されたのち、ＣＰＵ１０３ｂは画像編集時間の計時を開始する（Ｓ２０２）。このとき、タイマ２００は画像編集可能な残り時間を表示する。画像編集時間の計時が開始された後、ＣＰＵ１０３ｂは、利用者による画像編集操作を受け付ける（Ｓ２０３〜Ｓ２１１）。編集時間が制限時間に達したとき（Ｓ２０４でＹＥＳ）、又は、利用者により「おわり」ボタン２１４がタッチされたとき（Ｓ２０５でＹＥＳ）、画像編集処理を終了する。
【００５５】
［選択ツールが「ペア画」以外である場合］
編集処理中に、利用者が、周知の落書きツールを選択したとき、たとえば、編集画面１００Ｒの利用者が落書きツールとして「ペン」ボタン２０４Ｂを選択したとき、ＣＰＵ１０３ｂは、編集画面１００Ｒへのタッチを検知し（Ｓ２０３でＹＥＳ）、選択ツールが「ペア画」以外であると判断する（Ｓ２０６でＮＯ、Ｓ２０９でＮＯ）。この場合、ＣＰＵ１０３ｂは、選択ツールが「ペン」であると判断し、ペンパレット２０５を表示して、ペン画像の入力を受け付け、入力されたペン画像を編集領域２０２内の写真画像上に重ねて表示する（Ｓ２１１）。
【００５６】
［選択ツールが「ペア画」である場合］
利用者が、「スペシャル」ボタン２０４Ａをタッチし、かつ、表示された複数のタブ２０７のうち「ペア画」タブ２０７をタッチしたとき（Ｓ２０３でＹＥＳ、Ｓ２０６でＹＥＳ）、ＣＰＵ１０３ｂは、図７の編集画面１００Ｌに示すように、ペア画パレット２０９を表示する（Ｓ２０７）。ペア画パレット２０９には、ペア画処理により編集領域２０２に描画される２つの背景画像の組合せを表示した複数の画像選択ボタン２１０が配置される。たとえば、画像選択ボタン２１０Ａには、背景画像２１２及び２１３の組合せが表示される。以下、このような２つの背景画像の組合せをペア画と称する。ペア画パレット２０９を表示したとき、ＣＰＵ１０３ｂは、選択ツールを「ペア画」に設定する（Ｓ２０８）。設定された選択ツールに関する情報は、メモリ１０５ｂに格納される。
【００５７】
続いて、利用者は、タッチペン３３を用いて、ペア画パレット２０９内の複数の画像選択ボタン２１０のうち、所望の画像選択ボタン２１０Ａをタッチする。このとき、ＣＰＵ１０３ｂは、編集画面１００Ｌへのタッチを検知し（Ｓ２０３でＹＥＳ）、かつ、メモリ１０５ｂに格納された選択ツールが「ペア画」であると判断する（Ｓ２０６でＮＯ、Ｓ２０９でＹＥＳ）。そのため、ＣＰＵ１０３ｂは、ペア画処理を実行する（Ｓ２１０）。
【００５８】
［ペア画処理］
ペア画処理では、ＣＰＵ１０３ｂは、編集領域２０２内に境界線の指定を受け付け、編集領域２０２のうち、受け付けた境界線で分割された各領域に、異なる背景画像を描画する。利用者は境界線を自由に指定できるため、境界線により分割される領域の形状を自由に決めることができ、各領域に異なる背景画像を短時間で容易に描画できる。そのため、オリジナリティの高い画像を短時間で容易に作成できる。以下、ペア画処理について詳述する。
【００５９】
図８を参照して、利用者が画像選択ボタン２１０Ａをタッチしたとき、ＣＰＵ１０３ｂは、画像選択ボタン２１０Ａが選択されたと判断する（Ｓ３０１でＹＥＳ）。このとき、ＣＰＵ１０３ｂは、タッチされた画像選択ボタン２１０Ａに表示されたペア画（背景画像２１２及び２１３）を選択画像に設定する（Ｓ３２０）。選択画像に設定されたペア画に関する情報はメモリ１０５ｂに記憶される。また、ＣＰＵ１０３ｂは、選択された画像選択ボタンを視覚的にわかりやすくするために、画像選択ボタン２１０Ａの周囲にカーソル２１１を表示する。
【００６０】
続いて、ＣＰＵ１０３ｂは、境界線の指定を受け付ける（Ｓ３０３〜Ｓ３０７）。図９（ａ）に示すように、利用者の操作によりタッチペン３３が編集領域２０２内の点ＰＳをタッチしたとき、ＣＰＵ１０３ｂは、編集領域２０２へのタッチを検知し（Ｓ２０３でＹＥＳ）、ペア画処理を実行する（Ｓ２０６でＮＯ、Ｓ２０９でＹＥＳ、Ｓ２１０）。ＣＰＵ１０３ｂは、編集領域２０２がタッチされたと判断し（Ｓ３０１でＮＯ、Ｓ３０２でＹＥＳ）、タッチにより指定された点ＰＳの座標をメモリ１０５ｂに記憶する（Ｓ３０３）。
【００６１】
利用者は、タッチペン３３を編集画面１００にタッチしたまま、任意の方向、たとえば図９（ｂ）に示すように下方向に移動させる。このときＣＰＵ１０３Ｂは、図９（ｂ）に示すように、点ＰＳと、タッチペン３３のペン先がタッチしている座標点とを結ぶ直線状の補助線ＡＬを描画する（Ｓ３０４）。利用者は、描画された補助線ＡＬを見ながら、編集領域２０２を分割する境界線の配置を決定できる。
【００６２】
図９（ｃ）に示すように、利用者の操作によりタッチペン３３が点ＰＥで編集画面１００から離れたとき（Ｓ３０５でＮＯ、Ｓ３０６でＹＥＳ）、ＣＰＵ１０３ｂは、タッチペン３３が離れた点ＰＥが指定されたと判断し、点ＰＥの座標をメモリ１０５ｂに記憶する（Ｓ３０７）。
【００６３】
続いて、ＣＰＵ１０３Ｂは、点ＰＳと点ＰＥとの間の距離、つまり、補助線ＡＬの長さを求める（Ｓ３０８）。そして、補助線ＡＬの長さが所定の長さ以上か否かを判断する（Ｓ３０９）。判断の結果、補助線ＡＬの長さが所定の長さ未満である場合（Ｓ３０９でＮＯ）、編集領域２０２に描画された補助線ＡＬと、メモリ１０５ｂ内の点ＰＳ及び点ＰＥの座標情報とを消去して、ペン画処理を終了する（Ｓ３１９）。補助線ＡＬがあまりに短い場合、利用者が誤ってタッチペン３３を編集画面１００から離した可能性が高い。このような場合に点ＰＳ及び点ＰＥに基づいて境界線を決定しても、境界線が変更される可能性が高い。そのため、ＣＰＵ１０３ｂは、利用者に、境界線の指定を最初からやり直させる。
【００６４】
ステップＳ３０９での判断の結果、補助線ＡＬの長さが所定の長さ以上である場合（Ｓ３０９でＹＥＳ）、指定された点ＰＳ及び点ＰＥに基づいて、境界線ＢＬを決定する（Ｓ３１１及びＳ３１２）。
【００６５】
ＣＰＵ１０３ｂは、図９（ｄ）に示すように、点ＰＳと点ＰＥとを含み、編集領域２０２の枠２５０と交差する直線を境界線ＢＬに決定する（Ｓ３１１）。このとき、ＣＰＵ１０３ｂは、境界線ＢＬと編集領域２０２の枠２５０との交点ＩＰ１及びＩＰ２を求め、その座標をメモリ１０５ｂに記憶する（Ｓ３１２）。交点ＩＰ１及びＩＰ２は、たとえば以下の方法で決定される。点ＰＳ及びＰＥの座標に基づいて境界線ＢＬの傾きを求め、境界線ＢＬの一次関数を求める。求めた一次関数と、枠２５０の座標とに基づいて、交点ＩＰ１及びＩＰ２が決定される。
【００６６】
なお、編集領域２０２に表示される補助線ＡＬは、利用者に見えやすいように、ある程度の幅（たとえば１０ドット）を有するが、補助線ＡＬは、各点ＰＳ及びＰＥが補助線ＡＬの幅中央を通過するように、描画される。また、ステップＳ３１１で決定された境界線ＢＬは、編集領域２０２に描画されてもよいし、描画されなくてもよい。
【００６７】
続いて、ＣＰＵ１０３ｂは、編集領域２０２のうち、決定された境界線ＢＬによって分割された各領域ごとに、異なる背景画像を描画する（Ｓ３１３及びＳ３１４）。ＣＰＵ１０３ｂはまず、境界線ＢＬにより分割された編集領域２０２内の各領域２０２Ａ、２０２Ｂに対応したマスク画像を作成する（Ｓ３１３）。
【００６８】
マスク画像は以下の方法で作成される。図１０に示すように、編集領域２０２と同じ座標系を共有するマスク画像２６０上に、ステップＳ３１２で求めた交点ＩＰ１及びＩＰ２を指定し、マスク画像２６０上に境界線ＢＬを指定する。このとき、マスク画像２６０のうち、境界線ＢＬで分割された２つの領域のうち、領域２６１が編集領域２０２内の領域２０２Ａに対応し、領域２６２が編集領域２０２内の領域２０２Ｂに対応する。そして、編集領域２０２内の点ＰＳから点ＰＥに向かって左側の領域２０２Ｂに対応する、マスク画像２６０内の領域２６２のＲＧＢ値を（２５５、２５５、２５５）（黒塗り）に設定する。さらに、点ＰＳから点ＰＥに向かって右側の領域２０２Ａに対応する領域２６１のＲＧＢ値を（０、０、０）（白抜き）に設定する。つまり、点ＰＳから点ＰＥへの方向に基づいて、マスクを掛ける領域が決定される。
【００６９】
続いて、ＣＰＵ１０３ｂは、ステップＳ３０１で選択された背景画像２１２及び２１３を編集領域２０２中に描画する（Ｓ３１４）。ＣＰＵ１０３ｂは、複数のレイヤ（以下、表示レイヤという）を設定している。表示レイヤは、背景レイヤ、写真画像レイヤ、前景レイヤからなり、これらはメモリ１０５ｂに設定される。各レイヤは、同じ座標系を共有する。写真画像レイヤには、編集領域２０２に表示された、編集対象となる写真画像が展開される。前景レイヤには、画像編集処理により編集領域２０２に描画されたペン画像やフレーム画像、スタンプ画像等が展開される。表示レイヤを構成する各レイヤは、奥から、背景レイヤ、写真画像レイヤ、前景レイヤの順に重ねて編集領域２０２に表示される。
【００７０】
ＣＰＵ１０２ｂは、背景レイヤ上に、ステップＳ３０１で選択されたペア画（背景画像２１２及び２１３）と、ステップＳ３１３で作成されたマスク画像２６０とを上書き展開する。具体的には、図１１（ａ）に示すように、奥から、ペア画のうち画像選択ボタン２１０Ａ上で右側に配置された背景画像２１２、マスク画像２６０、画像選択ボタン２１０Ａ上で左側に配置された背景画像２１３の順番で、背景レイヤ３００上に上書き展開する。このとき、マスク画像２６０により、背景画像２１３のうち、マスク画像２６０の領域２６２と重なる部分にマスクが掛けられ透明になる。そのため、背景レイヤ３００には、図１１（ｂ）に示すように、境界線ＢＬの右側の領域全体に背景画像２１２が描画され、境界線ＢＬの左側の領域全体に背景画像２１３が描画される（Ｓ３１４）。
【００７１】
図１１（ｂ）に示すとおり、写真画像レイヤ３１０上に展開された写真画像のうち、被写体を除く領域（図中の斜線部）はクロマキ技術により透明にされている。ＣＰＵ１０３ｂは、上述のとおり、背景レイヤ３００上に写真画像レイヤ３１０を重ねて、編集領域２０２に表示する。そのため、編集領域２０２には、図１１（ｃ）に示すように、境界線ＢＬで分割された各領域のうち、被写体を除く部分全体に異なる背景画像が描画された画像が表示される。
【００７２】
以上の動作により、利用者は、編集領域２０２内のうち、所望の位置に境界線ＢＬを指定することで、自由なレイアウトで領域を分割でき、かつ、各領域に異なる背景画像を容易に描画できる。
【００７３】
境界線ＢＬの指定は、図９に示すような上下に伸びたものに限られず、利用者は、境界線ＢＬを自由に指定できる。たとえば、図１２（ａ）に示すように、タッチペン３３を点ＰＳから横方向に移動した場合、図１２（ｂ）に示すマスク画像２６０が作成され、図１２（ｃ）に示すレイアウトで背景画像２１２及び２１３が描画される。また、図１３（ａ）に示すように、タッチペン３３を点ＰＳから斜め下方向に移動した場合、図１３（ｂ）に示すマスク画像２６０が作成され、図１３（ｃ）に示すレイアウトで背景画像２１２及び２１３が描画される。
【００７４】
このように、利用者は、境界線ＢＬを自由に指定できるため、各領域の形状（レイアウト）を自由に決定でき、かつ、被写体を除く各領域全体に異なる背景画像を短時間で容易に描画できる。そのため、利用者は好みの背景画像の組合せを選択し、かつ、好みの形状の領域に区切るだけで、オリジナリティの高い画像を短時間で容易に作成できる。
【００７５】
上述の実施の形態では、選択されたペア画の各背景画像２１２及び２１３が描画される領域は、点ＰＳから点ＰＥへの方向に基づいて、決定される。つまり、図９及び図１１に示すように、点ＰＳから点ＰＥに向かって左側の領域に、選択された画像選択ボタン２１０Ａの右側に表示された背景画像２１２が描画され、点ＰＳから点ＰＥに向かって右側の領域に、画像選択ボタン２１０Ａの左側に表示された背景画像２１３が描画される。したがって、たとえば、図１４（ａ）に示すように、タッチペン３３を点ＰＳから上方に移動して、点ＰＳの上方に点ＰＥを指定した場合、図１４（ｂ）に示すように、背景画像２１２は、点ＰＳから点ＰＥに向かって左側の領域２０２Ａに描画され、背景画像２１３は、点ＰＳから点ＰＥに向かって右側の領域２０２Ｂに描画される。要するに、図１１（ｃ）と比較して背景画像２１２及び２１３の配置が入れ替わる。このように、点ＰＳから点ＰＥへの方向に基づいて２つの背景画像の配置が決定されるため、利用者は、点ＰＳと点ＰＥの入力位置に応じて、２つの背景画像の配置を容易に選択できる。
【００７６】
さらに、上述の点ＰＳ及び点ＰＥの入力操作に代えて、若しくは組み合わせて、ペア画パレット２０９内に設けた「反転」ボタン２２０の操作により、背景画像の配置を入れ替えても良い。たとえば、境界線ＢＬを指定する前に、「反転」ボタン２２０をタッチして、画像選択ボタン２１０上の２つの背景画像の配置を入れ替えてもよい。また、境界線ＢＬを指定して編集領域２０２内に２つの背景画像を描画した後に、「反転」ボタン２２０をタッチして、描画された背景画像の配置を入れ替えても良い。この場合、利用者は、背景画像を描画した後に、背景画像の配置を変更できる。
【００７７】
上述の実施の形態では、境界線ＢＬは、点ＰＳと点ＰＥとを含む直線である。そのため、ステップＳ３０４で描画される補助線ＡＬは、以下の方法で編集領域２０２上に表示される。図１５（ａ）に示すように、補助線ＡＬは、点ＰＳと、編集画面１００上を移動中のタッチペン３３のペン先が編集画面１００と接触している点Ｐ１とを結ぶ直線として表示される。したがって、図１５（ｂ）に示すように、タッチペン３３のペン先が、点Ｐ１から点Ｐ２に移動した場合、補助線ＡＬは、点ＰＳと点Ｐ２とを結ぶ直線で表示される。
【００７８】
また、図１６に示すように、タッチペン３３が編集領域２０２の外に移動した場合（図８中のＳ３０５でＹＥＳ）、ＣＰＵ１０３ｂは、タッチペン３３のペン先が接触した座標点Ｐ３と点ＰＳとを結ぶ直線のうち、編集領域２０２の枠２５０との交点Ｐ４を求め（Ｓ３１８）、求めた交点Ｐ４と点ＰＳとを結ぶ直線を補助線ＡＬとして表示する。また、タッチペン３３が編集領域２０２外の点Ｐ３で編集画面１００から離れたとき、ＣＰＵ１０３ｂは、点Ｐ４を点ＰＥに指定する。
【００７９】
なお、境界線ＢＬは直線に限らず、曲線又は曲線と直線の組合せであってもよい。たとえば、図１７（ａ）に示すように、ＣＰＵ１０３ｂは、編集画面１００と接触しながら編集領域２０２上を移動するタッチペン３３の軌跡を検知し、その軌跡を補助線ＡＬとして表示する。タッチペン３３が編集画面１００から離れ、点ＰＳ及び点ＰＥが確定したとき、図１７（ｂ）に示すように、曲線状の補助線ＡＬに対する点ＰＳでの接線ＴＬ１を求め、接線ＴＬ１と枠２５０との交点ＩＰ１を決定する。同様に、補助線ＡＬに対する点ＰＥでの接線ＴＬ２を求め、接線ＴＬ２と枠２５０との交点ＩＰ２を決定する。そして、ＣＰＵ１０３ｂは、点ＰＳ及びＰＥを含み交点ＩＰ１及びＩＰ２を結ぶ線、つまり、接線ＴＬ１と補助線ＡＬと接線ＴＬ２とからなる線を境界線ＢＬとする。以上の方法により、ＣＰＵ１０３ｂは、境界線ＢＬを直線以外の線とすることもできる。なお、図１７（ｂ）では、点ＰＳ及び点ＰＥでの接線を引いたが、曲線状の補助線ＡＬの点ＰＳ及び点ＰＥにおける曲率に基づいて、接線の代わりに、点ＰＳ及び点ＰＥから枠２５０に至る曲線を引いても良い。いずれにしても、ＣＰＵ１０３ｂは、点ＰＳ及び点ＰＥを含み、枠２５０と交差する線を境界線ＢＬに決定する。
【００８０】
上述の実施の形態では、ペア画を構成する２つの背景画像２１２及び２１３は、それぞれ異なる柄を有したが、図１８（ａ）及び（ｂ）に示すように、ペア画を構成する２つの背景画像の柄の形状及び柄の配置が全く同じであり、柄の色彩が異なるものであってもよい。この場合、境界線ＢＬに基づいて背景レイヤ３００に描画される背景画像はたとえば図１８（ｃ）のようになり、背景画像のうち、境界線ＢＬを跨る柄４００は、境界線ＢＬを境に色彩のみ異なる。つまり、色彩のみ異なる２つの背景画像をペア画とすれば、背景全体の柄は同じであって、境界線ＢＬを境に色彩のみ異なる背景画像を作成できる。同様に、ペア画を構成する画像は、明度や輝度のみが異なるものであってもよい。この場合、背景の柄が境界線で中途半端に途切れない。
【００８１】
図７に示すペア画パレット２０９には、予め設定された背景画像の組合せをペア画として画像選択ボタン２１０に表示したが、利用者がペア画を構成する背景画像を自由に選択してもよい。たとえば、ＣＰＵ１０３ｂは、図１９（ａ）に示すペア画パレット２０９を編集画面１００に表示する。利用者は、ペア画イメージ領域２７０を挟んだ左右の各領域に並んだ画像選択ボタン２１０から、所望の背景画像が表示された画像選択ボタン２１０を１つずつ選択する。つまり、ペア画を構成する２つの背景画像の組合せを自由に選択する。選択された背景画像の組合せはペア画イメージ領域２７０に表示される。
【００８２】
図１９に示すペア画パレット２０９を用いた場合、編集領域２０２に図１１（ｃ）に示す画像が表示された後、利用者が背景画像を変更できるようにしてもよい。この場合、たとえば、背景レイヤを３つ準備する（背景レイヤ１〜背景レイヤ３）。そして、背景レイヤ２にはマスク画像２６０を展開し、背景レイヤ１には背景画像２１２、背景レイヤ３には背景画像２１３をそれぞれ展開する。そして、奥から、背景レイヤ１、２、３、写真画像レイヤの順に重ねて表示すれば、図１１（ｃ）に示す画像が編集領域２０２に表示される。利用者が背景画像２１２を他の背景画像に変更したい場合、図１９（ａ）に表示されたペア画パレット２０９のペア画イメージ領域２７０の右側の領域に並んだ複数の画像選択ボタン２１０の中から、所望の背景画像が表示された画像選択ボタン２１０をタッチする。その結果、ＣＰＵ１０３は、背景レイヤ１上に、背景画像２１２に代えて、タッチされた画像選択ボタンに表示された背景画像を展開する。以上の方法により、利用者は、編集領域２０２に表示された画面を見ながら、背景画像を容易に変更できる。
【００８３】
上述の説明では、ペア画を構成する画像はともに背景画像としたが、たとえば、ペア画を構成する画像の一方が背景画像であり、他方が写真画像の手前に描画されるフレーム画像等の前景画像であってもよい。この場合、たとえば、写真画像レイヤの手前に重なる前景レイヤにマスク画像と選択された前景画像とを上書き展開する。
【００８４】
また、従来のように、撮影処理時に背景画像等をライブ映像上に重ねて表示して、写真撮影し、さらに、画像編集処理時に上述のペア画処理を実行してもよい。この場合、たとえば、背景レイヤ３００よりも奥に、撮影処理時に選択された背景画像を展開する撮影時背景レイヤを配置し、奥から、撮影時背景レイヤ、背景レイヤ３００、写真画像レイヤ３１０の順に重ねて編集領域２０２に表示する。利用者がペア画を利用しない場合、背景レイヤ３００上には画像が展開されないため、撮影時の背景画像が写真画像レイヤ上の被写体と重ねて表示される。
【００８５】
上述の実施の形態では、境界線ＢＬで分割された各領域全体に背景画像を入力したが、背景画像を入力する代わりに、境界線ＢＬで分割された各領域の写真画像そのものを加工してもよい。具体的には、たとえば、境界線ＢＬで分割された各領域の写真画像に対して、異なる色調補正（カラー、セピア、モノトーン、明度等）を施してもよい。また、各領域の写真画像の被写体に対して肌の補正（たとえば、ぼかしやシャープ等のフィルタ処理）を施しても良い。
【００８６】
また、上述の実施の形態では、編集領域２０２の枠２５０内全体に１つの写真画像を表示したが、図２０に示すように、編集領域２０２の枠２５０内に２枚の写真画像２８１及び２８２を並べて表示する場合であっても、ペア画処理を実施できる。図２０（ａ）に示すように、利用者は、タッチペン３３を用いて点ＰＳ及び点ＰＥを指定する。ＣＰＵ１０３ｂは、点ＰＳ及びＰＥを含む直線を境界線ＢＬに決定し、図２０（ｂ）に示すように、境界線ＢＬで分割された各領域２９１及び２９２に異なる背景画像を描画する。以上より、ＣＰＵ１０３ｂは、編集領域２０２に複数枚の写真画像が並んで表示されても、境界線ＢＬで分割された編集領域２０２内の各領域全体に異なる画像を描画できる。なお、図２０（ｂ）では、２つの写真画像２８１及び２８２を跨ぐように境界線ＢＬが指定されたが、境界線ＢＬが１つの写真画像内に収まるように指定されても良い。たとえば、境界線ＢＬが写真画像２８１内に上下方向に描画された場合、写真画像２８１のうち境界線ＢＬの左側の領域が領域２９１となり、写真画像２８１のうち境界線ＢＬの右側の領域と写真画像２９１とを含む範囲が領域２９２となる。そして、各領域２９１、２９２に異なる背景画像が描画される。
【００８７】
上述の実施の形態では、マスク画像２６０を用いて境界線ＢＬで分割された各領域に異なる背景画像を描画したが、マスク画像２６０を使用しなくてもよい。たとえば、マスク画像２６０を作成せず、背景画像２１２のうち、境界線ＢＬで区切られた右側領域に相当する部分のみ切り取り、切り取られた背景画像２１２を背景レイヤ３００の境界線ＢＬの右側の領域に描画する。同様に、背景画像２１３のうち、境界線ＢＬで区切られた左側領域に相当する部分のみを切り取り、境界線ＢＬの左側の領域に描画する。このような方法であっても、背景レイヤ３００上の画像は、図１１（ｃ）に示すとおりとなる。
【００８８】
２．第２の実施の形態
上述の実施の形態では、１つの境界線ＢＬを使って編集領域２０２を２つの領域に分割し、各領域で異なる編集を行ったが、複数の境界線ＢＬを用いて３以上の領域に分割し、各領域で異なる編集を行ってもよい。
【００８９】
以下、２本の境界線ＢＬを用いて編集領域２０２を３つの領域に分割し、各領域に背景画像を描画する方法について説明する。
【００９０】
図１９（ａ）を参照して、利用者は、ペア画を構成する２つの背景画像を自由に選択可能なペア画パレット２０９から、境界線ＢＬの左側に描画される背景画像２７１と、境界線ＢＬの右側に描画される背景画像２７２とを選択する。続いて、上述のペア画処理と同様の操作で、タッチペン３３を用いて編集領域２０２に点ＰＳ及び点ＰＥを指定する。ＣＰＵ１０３ｂは、点ＰＳ及び点ＰＥに基づいて図２１（ａ）に示すように境界線ＢＬを決定し、図２１（ｂ）に示すマスク画像２６０を作成する。そして、図２１（ｃ）に示すように、背景レイヤ３００上に、奥から、背景画像２７２、マスク画像２６０、背景画像２７１の順に展開する。このとき、背景画像２７１のうち、マスク画像２６０のマスク領域２６１と重なる部分は透明になるため、編集領域２０２に表示される画像は図２１（ｄ）に示すとおりとなる。
【００９１】
ＣＰＵ１０３ｂはさらに、利用者の求めに応じてもう一度ペア画処理を実行する。図１９（ｂ）を参照して、利用者は、左側領域用の画像として背景画像２７３を選択する。一方、右側領域用の画像として、何もデザインされていない透明な画像２７４を選択する。
【００９２】
続いて、上述のペア画像と同様の操作で、タッチペン３３を用いて点ＰＳ及び点ＰＥを指定する。ＣＰＵ１０３ｂは、図２２（ａ）に示すように、指定された点ＰＳ及びＰＥに基づいて境界線ＢＬを決定し、図２２（ｂ）に示すマスク画像２６５を作成する。さらに、図２２（ｃ）に示すように、既に背景画像２７１及び２７２が展開された背景レイヤ３００上に、奥から、透明画像２７４、マスク画像２６５、背景画像２７３の順に展開する。その結果、編集領域２０２には、図２２（ｄ）に示すように、３つの領域にそれぞれ異なる背景画像２７１〜２７３が描画された画像が表示される。
【００９３】
要するに、ペア画処理を２回実施することにより、編集領域２０２を３つの領域に分割でき、各領域に異なる背景画像を容易に描画できる。同様に、ペア画処理を３回以上実施すれば、編集領域２０２を４以上の領域に分割でき、各領域に異なる画像を容易に描画できる。なお、境界線ＢＬの指定を工夫すれば、背景画像を図２３に示すようなデザインにすることもできる。
【００９４】
上述の方法では、ペア画処理を複数回実施して、編集領域２０２を３以上の領域に分割したが、１回のペア画処理で複数の境界線ＢＬを指定して、複数の境界線ＢＬで分割された各領域に異なる画像を描画してもよい。たとえば、図２４（ａ）に示すように、利用者はタッチペン３３を用いて、編集領域２０２上に点ＰＳ１、ＰＥ１及び点ＰＳ２、ＰＥ２を指定する。ＣＰＵ１０３ｂは、点ＰＳ１及びＰＥ１に基づいて境界線ＢＬ１を決定し、点ＰＳ２及びＰＥ２に基づいて、境界線ＢＬ２を決定する。そして、ＣＰＵ１０３は、図２４（ｂ）に示すように、境界線ＢＬ１及びＢＬ２で分割された各領域２２１〜２２３に背景画像２７１〜２７３をそれぞれ描画する。
また、背景画像の選択は、境界線ＢＬを指定する前に行ってもよいし、境界線ＢＬを指定した後に行ってもよい。たとえば、図２４のように、１回のペア画処理で２つの境界線ＢＬを指定する場合、境界線ＢＬを指定する前に、３つの背景画像又は３つの背景画像の組合せを選択してもよいし、２つの境界線ＢＬを指定した後に、３つの背景画像又は３つの背景画像の組合せを選択してもよい。
さらに、新たな境界線ＢＬを指定するごとに、分割された領域数に対応した数の背景画像の組合せをペア画パレット２０９内の画像選択ボタン２１０上に表示し、領域数に応じた数の背景画像を容易に選択できるようにしてもよい。たとえば、境界線ＢＬを入れる前は、ペア画パレット２０９内に操作方法などの案内を表示し、編集領域２０２内に１本目の境界線ＢＬを指定したとき、ペア画パレット２０９内の画像選択ボタン２１０には２つの背景画像の組合せが表示され、編集領域２０２内に２本目の境界線ＢＬを指定したとき、画像選択ボタン２１０に３つの背景画像の組合せが表示されてもよい。この場合、利用者が複数本の境界線ＢＬを指定した後、指定した境界線ＢＬの本数に応じた数の背景画像の組合せを容易に選択できる。したがって、１回のペア画処理で複数の境界線ＢＬを指定する場合などに効果的である。
【００９５】
なお、ＣＰＵ１０３ｂは、図２５に示すように、一端のみ枠２５０と交差する境界線ＢＬ２を決定してもよい。この場合、利用者は、先に点ＰＳ１及びＰＥ１を指定し、その後、点ＰＳ２及びＰＥ２を指定する。ＣＰＵ１０３ｂはまず、点ＰＳ１及びＰＥ１に基づいて上述の方法で境界線ＢＬ１を決定する。続いて、ＣＰＵ１０３ｂは、点ＰＳ２及びＰＥ２を含み、かつ、枠２５０と境界線ＢＬ１とに交差する境界線ＢＬ２を決定する。このような方法により境界線ＢＬを決定することで、分割される各領域の形状を、より自由に決定することができる。
【００９６】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【００９７】
【図１】本発明の第１の実施の形態による画像撮影編集装置の撮影空間側から見た斜視図である。
【図２】図１に示した画像撮影編集装置の編集空間側から見た斜視図である。
【図３】図１及び図２に示した画像撮影編集装置の機能構成を示すブロック図である。
【図４】図１〜図３に示した画像撮影編集装置内の撮影装置の動作の詳細を示すフロー図である。
【図５】図１〜図３に示した画像撮影編集装置の画像編集装置の動作の詳細を示すフロー図である。
【図６】図５中の画像編集処理の詳細を示すフロー図である。
【図７】図６に示す画像編集処理で表示される画面の一例を示す図である。
【図８】図６中のペア画処理の詳細を示すフロー図である。
【図９】図８に示すペア画処理で画面を分割するための境界線を指定するまでの各工程を説明するための図である。
【図１０】図８に示すペア画処理で作成されるマスク画像を示す図である。
【図１１】図８に示すペア画処理で境界線で分割された各領域に背景画像を描画するまでの各工程を説明するための図である。
【図１２】図８に示すペア画処理の他の一例を説明するための図である。
【図１３】図８に示すペア画処理のさらに他の一例を説明するための図である。
【図１４】図８に示すペア画処理のさらに他の一例を説明するための図である。
【図１５】図８に示すペア画処理で描画される補助線の一例を説明するための図である。
【図１６】図８に示すペア画処理で描画される補助線の他の一例を説明するための図である。
【図１７】図８に示すペア画処理のさらに他の一例を説明するための図である。
【図１８】図８に示すペア画処理で使用される背景画像の一例を示す図である。
【図１９】図６中の画像編集処理で表示される画像の他の一例を示す図である。
【図２０】図８に示すペア画処理のさらに他の一例を説明するための図である。
【図２１】本発明の第２の実施の形態による画像撮影編集装置で実行されるペア画処理の一例を説明するための図である。
【図２２】図２１に続く、ペア画処理を説明するための図である。
【図２３】本発明の第２の実施の形態による画像撮影編集装置で作成される画像の一例を示す図である。
【図２４】本発明の第２の実施の形態による画像撮影編集装置で実行されるペア画処理の他の一例を説明するための図である。
【図２５】本発明の第２の実施の形態による画像撮影編集装置で実行されるペア画処理のさらに他の一例を説明するための図である。
【符号の説明】
【００９８】
１  画像撮影編集装置
６  プリンタ
２０  撮影装置
３０  画像編集装置
３２  タブレットディスプレイ
１０１ａ  撮影用コンピュータ装置
１０１ｂ  画像編集用コンピュータ装置
２０２  編集領域
【図１】
0004999606.tif 000002
【図２】
0004999606.tif 000003
【図３】
0004999606.tif 000004
【図４】
0004999606.tif 000005
【図５】
0004999606.tif 000006
【図６】
0004999606.tif 000007
【図７】
0004999606.tif 000008
【図８】
0004999606.tif 000009
【図９】
0004999606.tif 000010
【図１０】
0004999606.tif 000011
【図１１】
0004999606.tif 000012
【図１２】
0004999606.tif 000013
【図１３】
0004999606.tif 000014
【図１４】
0004999606.tif 000015
【図１５】
0004999606.tif 000016
【図１６】
0004999606.tif 000017
【図１７】
0004999606.tif 000018
【図１８】
0004999606.tif 000019
【図１９】
0004999606.tif 000020
【図２０】
0004999606.tif 000021
【図２１】
0004999606.tif 000022
【図２２】
0004999606.tif 000023
【図２３】
0004999606.tif 000024
【図２４】
0004999606.tif 000025
【図２５】
0004999606.tif 000026